(57)【要約】【課題】ブリスタパックの外縁形状に関する設計自由度を高めることができるとともに、ブリスタパックを備えてなる製品に対するスクラップの混入をより確実に防止することができるブリスタ包装機を提供する。【解決手段】ブリスタパックは、容器部及び外蓋部を有する蓋付容器と、容器部に取着された内蓋フィルムとを備える。ブリスタ包装機１０は、容器フィルム７における容器部に対応する部位である容器対応部に対し内蓋フィルム６を取着するシール装置１７と、内蓋フィルム６とともに容器フィルム７における蓋付容器に対応する部位である蓋付容器対応部を打抜き、ブリスタパック１を得る打抜装置１８とを有する。容器フィルム７及び内蓋フィルム６のうち打抜装置１８による打抜後に残存するスクラップ部８Ｓが、容器フィルム７の搬送方向に沿って連なった状態とされる。【選択図】      図３
2018002191.tif 000002
【特許請求の範囲】
【請求項１】
物品を収容するための容器部、及び、当該容器部と一体形成された外蓋部を有し、前記外蓋部によって前記容器部の開口を開閉可能に構成された蓋付容器と、
前記容器部に前記物品が収容された状態で前記容器部の開口を塞ぐようにして前記容器部に取着された内蓋フィルムと、
を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位である容器対応部に対し前記物品を収容する収容手段と、
前記収容手段の下流において、少なくとも前記容器対応部に対しその開口を塞ぐようにして前記内蓋フィルムを取着する取着手段と、
前記取着手段の下流において、前記内蓋フィルムとともに前記容器フィルムにおける前記蓋付容器対応部を打抜くことで、前記ブリスタパックを得る打抜手段とを有し、
前記容器フィルム及び前記内蓋フィルムのうち前記打抜手段による打抜後に残存するスクラップ部が、前記搬送方向に沿って連なった状態となるように構成されていることを特徴とするブリスタ包装機。
【請求項２】
前記成形手段は、前記容器フィルムに対しその搬送方向に沿って並んだ状態で前記容器対応部を形成するように構成されており、
前記取着手段は、前記搬送方向に並んだ前記容器対応部に対し、前記搬送方向に沿って延びる帯状の前記内蓋フィルムを順次取着するように構成されており、
前記容器フィルムのうち前記打抜手段による打抜後に残存する容器スクラップ部が、前記搬送方向に沿って連なった状態となり、かつ、
前記内蓋フィルムのうち前記打抜手段による打抜後に残存する内蓋スクラップ部が、その幅方向一端縁側のみにおいて前記搬送方向に沿って連なった状態となるように構成されていることを特徴とする請求項１に記載のブリスタ包装機。
【請求項３】
前記取着手段は、前記容器フィルムのうち前記容器スクラップ部となる部位と前記内蓋フィルムのうち前記内蓋スクラップ部となる部位とが非取着状態となるように前記容器フィルムに対し前記内蓋フィルムを取着するように構成されていることを特徴とする請求項２に記載のブリスタ包装機。
【請求項４】
前記成形手段は、前記容器フィルムに対しその搬送方向に沿って間隔をあけた状態で前記容器対応部を形成するとともに、前記容器フィルムにおける前記各容器対応部間に位置する部位に対し、前記容器対応部における前記内蓋フィルムが取着される部位と同じ高さのスクラップ取着部を形成するように構成されており、
前記取着手段は、前記搬送方向に沿って交互に並んだ前記容器対応部及び前記スクラップ取着部に対し、帯状の前記内蓋フィルムを順次取着するように構成されており、
前記容器フィルムのうち前記打抜手段による打抜後に残存する容器スクラップ部は、前記搬送方向に沿って連なった状態となるとともに、
前記スクラップ取着部は、前記容器スクラップ部に存在し、かつ、
前記内蓋フィルムのうち前記打抜手段による打抜後に残存する内蓋スクラップ部は、前記スクラップ取着部に取着された状態となるように構成されていることを特徴とする請求項１に記載のブリスタ包装機。
【請求項５】
前記搬送方向と直交する方向に沿った前記帯状の前記内蓋フィルムの幅が、前記搬送方向と直交する方向に沿った前記容器対応部のうち前記内蓋フィルムが取着される部位の幅と同一とされていることを特徴とする請求項４に記載のブリスタ包装機。
【発明の詳細な説明】
【技術分野】
【０００１】
本発明は、所定の物品を収容する容器部及び容器部と一体形成された外蓋部を備えてなる蓋付容器と、容器部に取着された内蓋フィルムとを具備するブリスタパックを製造するためのブリスタ包装機に関する。
【背景技術】
【０００２】
各種物品（例えば、食品や医療用品等）が収容されるブリスタパックとしては、前記物品が収容される容器部と、当該容器部と一体形成され、容器部の開口を開閉可能に構成された外蓋部とを備えてなる蓋付容器が知られている。また、ブリスタパックとしては、前記容器部内に収容された物品を密封すべく、容器部の開口を塞ぐようにして内蓋フィルム（シール蓋）が取着されたものもある（例えば、特許文献１等参照）。
【０００３】
このようなブリスタパックを製造するためのブリスタ包装機としては、帯状の容器フィルムに対し成形処理を施すことで前記蓋付容器に対応する部分（蓋付容器対応部）を形成する成形手段、成形後の容器フィルムの両端縁を挟んだ状態でその容器フィルムを搬送する搬送手段、搬送される容器フィルムにおける容器部に対応する部分に対し前記物品を収容する収容手段、容器フィルムから前記蓋付容器を切り離すカット手段などを備えたものが提案されている（例えば、特許文献２等参照）。カット手段は、長手方向と直交する方向（横方向）に切れ目などが入れられた容器フィルムをその長手方向（縦方向）に沿って切断するものであり、容器フィルムを上下に挟むようにして配置された回転刃などにより構成されている。尚、内蓋フィルムは、例えば、物品の収容後、カット手段による切断前に容器フィルムへと取着することができる。
【０００４】
ところで、上記のブリスタ包装機では、カット手段によって、容器フィルムを直線状に切断することのみが可能である。そのため、安全性の面などを考慮して、ブリスタパック（蓋付容器）における角部分を、丸みを帯びた湾曲形状とする場合には、前記カット手段による切断に先立って、湾曲形状をなすように前記角部分に対応する部分を打抜く必要がある。
【先行技術文献】
【特許文献】
【０００５】
【特許文献１】特開２０１５−１８２７８１号公報
【特許文献２】特開２００８−２９７００８号公報
【発明の概要】
【発明が解決しようとする課題】
【０００６】
しかしながら、打抜加工に伴い、容器フィルムのスクラップ（尚、容器フィルムとともに内蓋フィルムを打抜く場合には、容器フィルム及び内蓋フィルムのスクラップ）が、相互に分離した状態で多数発生してしまうおそれがある。そのため、製造されたブリスタパックを備えてなる製品に対しスクラップが混入してしまうことが懸念される。また、カット手段による切断とは別に打抜を行う必要があるため、製造工程が増大してしまい、生産性の低下を招いてしまうおそれがある。
【０００７】
一方、スクラップの混入防止や生産性向上を図るべく、カット手段による切断のみでブリスタパックを得ようとした場合には、ブリスタパック（特に蓋付容器）の外縁部分が直線形状となるため、ブリスタパックの外縁形状に関する設計自由度が低くなってしまう。尚、ブリスタパックの外縁部分に対しトリミング加工を施すことで、ブリスタパックの外縁形状を所望の形状とすることも考えられるが、この場合には、結局のところ、スクラップの混入や生産性の低下といった事態を招いてしまうおそれがある。
【０００８】
本発明は、上記事情に鑑みてなされたものであり、その目的は、ブリスタパックの外縁形状に関する設計自由度を高めることができるとともに、ブリスタパックを備えてなる製品に対するスクラップの混入をより確実に防止することができるブリスタ包装機を提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．物品を収容するための容器部、及び、当該容器部と一体形成された外蓋部を有し、前記外蓋部によって前記容器部の開口を開閉可能に構成された蓋付容器と、
前記容器部に前記物品が収容された状態で前記容器部の開口を塞ぐようにして前記容器部に取着された内蓋フィルムと、
を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位である容器対応部に対し前記物品を収容する収容手段と、
前記収容手段の下流において、少なくとも前記容器対応部に対しその開口を塞ぐようにして前記内蓋フィルムを取着する取着手段と、
前記取着手段の下流において、前記内蓋フィルムとともに前記容器フィルムにおける前記蓋付容器対応部を打抜くことで、前記ブリスタパックを得る打抜手段とを有し、
前記容器フィルム及び前記内蓋フィルムのうち前記打抜手段による打抜後に残存するスクラップ部が、前記搬送方向に沿って連なった状態となるように構成されていることを特徴とするブリスタ包装機。
【００１１】
上記手段１によれば、ブリスタパックは、打抜によって得られることとなる。従って、ブリスタパック（特に蓋付容器）の外縁形状に関する設計自由度を高めることができる。また、ブリスタパックを得るにあたって、打抜のみによってブリスタパックの外縁形状を所望形状とすることができるため、角を丸くするための処理などを別途行う必要がなくなり、生産性を高めることができる。
【００１２】
さらに、上記手段１によれば、打抜後に残存するスクラップ部は、容器フィルムの搬送方向に沿って連なった状態となる。すなわち、上記手段１によれば、多数のスクラップが相互に分離した状態で発生してしまうことを防止できる。これにより、ブリスタパックを備えてなる製品に対しスクラップ部が混入してしまうことをより確実に防止できる。
【００１３】
手段２．前記成形手段は、前記容器フィルムに対しその搬送方向に沿って並んだ状態で前記容器対応部を形成するように構成されており、
前記取着手段は、前記搬送方向に並んだ前記容器対応部に対し、前記搬送方向に沿って延びる帯状の前記内蓋フィルムを順次取着するように構成されており、
前記容器フィルムのうち前記打抜手段による打抜後に残存する容器スクラップ部が、前記搬送方向に沿って連なった状態となり、かつ、
前記内蓋フィルムのうち前記打抜手段による打抜後に残存する内蓋スクラップ部が、その幅方向一端縁側のみにおいて前記搬送方向に沿って連なった状態となるように構成されていることを特徴とする手段１に記載のブリスタ包装機。
【００１４】
上記手段２によれば、打抜後に残存する内蓋フィルムのスクラップ（内蓋スクラップ部）は、その幅方向一端縁側のみにおいて前記搬送方向に沿って連なった状態となるため、内蓋スクラップ部が多量に排出されてしまうことを防止できる。その結果、生産コストの増大抑制を効果的に図ることができる。
【００１５】
手段３．前記取着手段は、前記容器フィルムのうち前記容器スクラップ部となる部位と前記内蓋フィルムのうち前記内蓋スクラップ部となる部位とが非取着状態となるように前記容器フィルムに対し前記内蓋フィルムを取着するように構成されていることを特徴とする手段２に記載のブリスタ包装機。
【００１６】
上記手段３によれば、内蓋スクラップ部は、前記搬送方向に沿って連なるとともに、打抜後に残存する容器フィルムのスクラップ（容器スクラップ部）と非取着の状態とされる。これにより、内蓋スクラップ部のみを素早く巻き取って回収することができるため、より高速での生産が可能となり、生産性を一層高めることができる。
【００１７】
さらに、容器スクラップ部と内蓋スクラップ部とを別々に回収することが容易となり、回収後の各種処理に係る利便性を高めることができる。
【００１８】
手段４．前記成形手段は、前記容器フィルムに対しその搬送方向に沿って間隔をあけた状態で前記容器対応部を形成するとともに、前記容器フィルムにおける前記各容器対応部間に位置する部位に対し、前記容器対応部における前記内蓋フィルムが取着される部位と同じ高さのスクラップ取着部を形成するように構成されており、
前記取着手段は、前記搬送方向に沿って交互に並んだ前記容器対応部及び前記スクラップ取着部に対し、帯状の前記内蓋フィルムを順次取着するように構成されており、
前記容器フィルムのうち前記打抜手段による打抜後に残存する容器スクラップ部は、前記搬送方向に沿って連なった状態となるとともに、
前記スクラップ取着部は、前記容器スクラップ部に存在し、かつ、
前記内蓋フィルムのうち前記打抜手段による打抜後に残存する内蓋スクラップ部は、前記スクラップ取着部に取着された状態となるように構成されていることを特徴とする手段１に記載のブリスタ包装機。
【００１９】
上記手段４によれば、内蓋スクラップ部は、前記搬送方向に沿って連なった状態の容器スクラップ部に設けられたスクラップ取着部に対し取着された状態となる。従って、内蓋スクラップ部が相互に分離した状態で発生してしまうことをより確実に防止でき、製品に対するスクラップ部の混入防止をより効果的に図ることができる。
【００２０】
手段５．前記搬送方向と直交する方向に沿った前記帯状の前記内蓋フィルムの幅が、前記搬送方向と直交する方向に沿った前記容器対応部のうち前記内蓋フィルムが取着される部位の幅と同一とされていることを特徴とする手段４に記載のブリスタ包装機。
【００２１】
尚、「同一」とあるのは、厳密な同一のみならず、若干（例えば、数ｍｍ程度）の差が存在する場合も含む。
【００２２】
上記手段５によれば、内蓋スクラップ部の排出量低減を図ることができ、生産コストの増大を効果的に抑制することができる。
【図面の簡単な説明】
【００２３】
【図１】ブリスタパックの斜視図である。
【図２】ブリスタパックの断面図である。
【図３】第１実施形態におけるブリスタ包装機の概略構成を示す模式図である。
【図４】第１実施形態における蓋付容器対応部が形成された容器フィルムを示す斜視図である。
【図５】第１実施形態において、容器フィルムに対し内蓋フィルムを重ねた状態を示す平面図である。
【図６】第１実施形態において、打抜後に残存するスクラップ部を示す平面図である。
【図７】第２実施形態におけるブリスタ包装機の概略構成を示す模式図である。
【図８】第２実施形態における蓋付容器対応部及びスクラップ取着部が形成された容器フィルムを示す斜視図である。
【図９】第２実施形態において、容器フィルムに対し内蓋フィルムを重ねた状態を示す平面図である。
【図１０】第２実施形態において、打抜後に残存するスクラップ部を示す平面図である。
【図１１】別の実施形態におけるブリスタパックの斜視図である。
【図１２】別の実施形態におけるブリスタパックの斜視図である。
【発明を実施するための形態】
【００２４】
以下、実施形態について図面を参照しつつ説明する。
〔第１実施形態〕
図１及び図２に示すように、ブリスタパック１は、蓋付容器２と、内蓋フィルム６とを備えている。尚、便宜上、各図中における蓋付容器２及び内蓋フィルム６は、実際よりも厚肉に示されている。
【００２５】
蓋付容器２は、例えばＰＰ（ポリプロピレン）やＰＶＣ（ポリ塩化ビニル）、ＰＥ（ポリエチレン）等の熱可塑性樹脂材料によって構成されている。また、蓋付容器２は、所定の物品Ｗ（例えば、食品や医療用品など）を収容するための収容空間３Ａを有してなる収容部３と、当該収容部３と一体形成された外蓋部４と、両者３，４を連結する断面湾曲形状のヒンジ部５とを備えている。外蓋部４は、ヒンジ部５を回動軸として収容部３に対し相対回動可能となっており、収容部３の開口は、外蓋部４によって開閉可能となっている。
【００２６】
また、収容部３は、収容空間３Ａの開口端から外側に延出形成された環状の被シール部３Ｂと、当該被シール部３Ｂの最外周から垂下する内嵌部３Ｃとを備えている。一方、外蓋部４は、前記内嵌部３Ｃに対応する形状をなす環状の外嵌部４Ａを備えている。そして、外蓋部４により収容部３の開口を閉鎖する際には、内嵌部３Ｃの外周に対し外嵌部４Ａを嵌め込むことによって、閉鎖状態をより確実に維持可能となっている。
【００２７】
内蓋フィルム６は、蓋付容器２と相溶性のある熱可塑性樹脂により形成されており、本実施形態では、透明又は半透明を呈するように構成されている。内蓋フィルム６は、容器部３の開口を塞ぐようにして前記被シール部３Ｂに対し取着されている。
【００２８】
次に、上記ブリスタパック１を製造するためのブリスタ包装機１０の構成について説明する。
【００２９】
図３に示すように、ブリスタ包装機１０では、ロール状の原反から引き出された帯状の容器フィルム７が所定のコンベア１１（例えば、チェーンクリップコンベア等）により下流側へ向け間欠搬送されていく。容器フィルム７は、蓋付容器２の材料である。
【００３０】
容器フィルム７原反の下流側には、まず加熱装置１２及び形成装置１３が設けられている。加熱装置１２及び形成装置１３によって成形手段が構成される。
【００３１】
加熱装置１２は、容器フィルム７を挟んで上下に配置される上型１２ａ及び下型１２ｂを備え、容器フィルム７における蓋付容器２の形成範囲を部分的に加熱可能に構成されている。
【００３２】
形成装置１３は、蓋付容器２の形状とおよそ相似的で小さいプラグを有してなる上型１３ａと、蓋付容器２の形状に対応した凹凸部を有してなる下型１３ｂとを備えている。そして、容器フィルム７が加熱装置１２により加熱され比較的柔軟になった状態において、上型１３ａ及び下型１３ｂにより、容器フィルム７の所定位置に蓋付容器２に対応する蓋付容器対応部２Ｆが成形される（図４参照）。蓋付容器対応部２Ｆは、容器部３に対応する容器対応部３Ｆと、外蓋部４に対応する外蓋対応部４Ｆと、ヒンジ部５に対応するヒンジ対応部５Ｆとを備えている。
【００３３】
尚、蓋付容器対応部２Ｆの成形は、容器フィルム７の搬送動作間のインターバルの際に行われる。また、本実施形態では、形成装置１３によって、容器フィルム７に対しその搬送方向に沿って並んだ状態で容器対応部３Ｆが形成される。
【００３４】
さらに、形成装置１３の下流側には、収容手段としての収容装置１４が設けられており、当該収容装置１４によって、容器対応部３Ｆにおける前記収容空間３Ａに対応する空間へと物品Ｗが収容される。
【００３５】
また、帯状に形成された内蓋フィルム６の原反は、前記容器フィルム７とは別にロール状に巻回されて配置されている。当該原反から引き出された内蓋フィルム６は、収容装置１４の下流側に設けられた受けローラ１５へと案内されている。内蓋フィルム６は、受けローラ１５まで案内されることで、図５に示すように、容器フィルム７の搬送方向に沿って延びた状態で、容器対応部３Ｆの開口を塞ぐようにして容器フィルム７へと重ねられることとなる。
【００３６】
尚、本実施形態において、容器フィルム７の搬送方向と直交する方向に沿った内蓋フィルム６の幅は、前記搬送方向と直交する方向に沿った容器対応部３Ｆにおける被シール部３Ｂに対応する部位である被シール部対応部３Ｇ（図５中、斜線を付した部位）の幅よりも大きなものとされている。そして、容器フィルム７に対し内蓋フィルム６を重ねた状態においては、内蓋フィルム６の幅方向一端縁が前記被シール部対応部３Ｇよりも容器フィルム７の幅方向一端縁側にはみ出し、一方、内蓋フィルム６の幅方向他端縁が被シール部対応部３Ｇの外縁に対しほぼ重なるようになっている。
【００３７】
図３に戻り、受けローラ１５の下流には、取着手段としてのシール装置１７が設けられている。シール装置１７は、上型１７ａ及び下型１７ｂを備えている。
【００３８】
上型１７ａは、両フィルム６，７の搬送経路の上方に配置されており、図示しない駆動手段によって上下に移動可能となっている。また、上型１７ａは、前記被シール部３Ｂに対応する形状をなすとともに、図示しないヒータ等により発熱可能な発熱部１７ｃを備えている。
【００３９】
下型１７ｂは、蓋付容器対応部２Ｆにおける下向きに突出する部位が収容される凹部１７ｄを備えており、図示しない駆動手段によって上下に移動可能となっている。また、下型１７ｂのうち前記凹部１７ｄの開口から外周に延びる平坦面が、前記上型１７ａの発熱部１７ｃとの間で、容器フィルム７及び内蓋フィルム６を挟み込む押圧面となっている。
【００４０】
シール装置１７においては、上型ａ及び下型１７ｂが容器フィルム７及び内蓋フィルム６に接近することで、発熱部１７ｃと下型１７ｂの前記平坦面との間で、容器対応部３Ｆにおける被シール部対応部３Ｇ及び内蓋フィルム６を挟み込む。その結果、被シール部対応部３Ｇに対し、容器対応部３Ｆの開口を塞ぐようにして内蓋フィルム６が取着（熱融着）される。
【００４１】
尚、本実施形態において、シール装置１７は、容器対応部３Ｆにおける被シール部対応部３Ｇのみに対し内蓋フィルム６を取着するように構成されている。すなわち、シール装置１７は、容器フィルム７のうち後述する容器スクラップ部７Ｓとなる部位と内蓋フィルム６のうち後述する内蓋スクラップ部６Ｓとなる部位とが非取着状態となるように容器フィルム７に対し内蓋フィルム６を取着するように構成されている。また、内蓋フィルム６の取着は、容器フィルム７の搬送動作間のインターバルに行われ、シール装置１７によって、容器対応部３Ｆに対し内蓋フィルム６が順次取着されるようになっている。
【００４２】
シール装置１７の下流側には、打抜手段としての打抜装置１８が設けられている。打抜装置１８は、蓋付容器２の外縁形状に対応する形状の図示しない打抜パンチを備えており、当該打抜パンチによって、内蓋フィルム６とともに、容器フィルム７における蓋付容器対応部２Ｆを打抜くことで、ブリスタパック１が得られる。本実施形態では、蓋付容器２の外縁部分における角部が丸みを帯びた形状となるように前記打抜パンチの形状が設定されている。
【００４３】
また、打抜装置１８の下方には、コンベア２０が設けられている。打抜かれたブリスタパック１は、コンベア２０によって下流側へと移送される。移送途中又は移送後において、所定のクローズ装置（図示せず）によって、外蓋部４が閉状態とされる。
【００４４】
尚、内蓋フィルム６及び容器フィルム７の打抜後には、図６に示すように、スクラップ部８Ｓが残存することとなる。スクラップ部８Ｓは、容器フィルム７のうち打抜後に残存する容器スクラップ部７Ｓと、内蓋フィルム６のうち打抜後に残存する内蓋スクラップ部６Ｓとからなり、容器スクラップ部７Ｓ及び内蓋スクラップ部６Ｓは、それぞれ容器フィルム７の搬送方向に沿って連なった状態となっている。すなわち、スクラップ部８Ｓは、容器フィルム７の搬送方向に沿って連なった状態となっており、多数のスクラップが相互に分離した状態とならないようになっている。但し、本実施形態において、内蓋スクラップ部６Ｓは、その幅方向一端縁側のみにおいて前記搬送方向に沿って連なった状態となっている。
【００４５】
さらに、上記の通り、シール装置１７によって、被シール部対応部３Ｇのみに対し内蓋フィルム６が取着されるため、容器スクラップ部７Ｓと内蓋スクラップ部６Ｓとは非取着の状態（分離された状態）となっている。
【００４６】
加えて、内蓋スクラップ部６Ｓは、打抜装置１８よりも下流に設けられた回収装置２１によって、巻き取られつつ回収される。
【００４７】
一方で、容器スクラップ部７Ｓは、打抜装置１８の下流に設けられた図示しない裁断装置に搬送されるとともに、当該裁断装置によって所定寸法に裁断され、図示しない所定のスクラップ用ホッパに貯留される。
【００４８】
以上詳述したように、本実施形態によれば、ブリスタパック１を打抜によって得ることができるため、ブリスタパック１（蓋付容器２）の外縁形状に関する設計自由度を高めることができる。また、ブリスタパック１を得るにあたって、打抜のみによってブリスタパック１の外縁形状を所望形状とすることができるため、角を丸くするための処理などを別途行う必要がなくなり、生産性を高めることができる。
【００４９】
さらに、打抜後に残存するスクラップ部８Ｓは、容器フィルム７の搬送方向に沿って連なった状態となるため、多数のスクラップが相互に分離した状態で発生してしまうことを防止できる。その結果、ブリスタパック１を備えてなる製品に対しスクラップ部８Ｓが混入してしまうことをより確実に防止できる。
【００５０】
また、内蓋スクラップ部６Ｓは、その幅方向一端縁側のみにおいて前記搬送方向に沿って連なった状態となるため、内蓋スクラップ部６Ｓが多量に排出されてしまうことを防止できる。その結果、生産コストの増大抑制を効果的に図ることができる。
【００５１】
加えて、内蓋スクラップ部６Ｓは、容器スクラップ部７Ｓと非取着の状態（分離した状態）とされるため、内蓋スクラップ部６Ｓを素早く巻き取って回収することができる。その結果、より高速での生産が可能となり、生産性を一層高めることができる。
【００５２】
さらに、容器スクラップ部７Ｓと内蓋スクラップ部６Ｓとを別々に回収することができ、回収後の各種処理（例えば、廃棄前の分別処理など）に係る利便性を高めることができる。
〔第２実施形態〕
次いで、第２実施形態について上記第１実施形態との相違点を中心に説明する。
【００５３】
上記第１実施形態では、ブリスタ包装機１０により、容器フィルム７に対し蓋付容器対応部２Ｆが形成されるように構成されている。これに対し、本第２実施形態では、図７及び図８に示すように、ブリスタ包装機３０により、容器フィルム７に対し、蓋付容器対応部２Ｆとともに、スクラップ取着部７Ｇが形成されるように構成されている。スクラップ取着部７Ｇは、四角錐台状をなしており、自身の上端面と被シール部対応部３Ｇとが同一高さとなるように構成されている。そして、容器対応部３Ｆとスクラップ取着部７Ｇとは、容器フィルム７の搬送方向に沿って交互に並んだ状態で設けられている。
【００５４】
このようなスクラップ取着部７Ｇを形成すべく、本第２実施形態における形成装置３３は、スクラップ取着部７Ｇの形状に対応した凹部を有してなる上型３３ａと、スクラップ取着部７Ｇの形状に対応する凸部を有してなる下型３３ｂとを備えている。そして、容器フィルム７のうち蓋付容器２及びスクラップ取着部７Ｇの形成範囲が加熱装置１２により加熱されて比較的柔軟になった状態において、上型３３ａ及び下型３３ｂによって容器フィルム７が成形されることで、容器フィルム７に対し蓋付容器対応部２Ｆとスクラップ取着部７Ｇとが形成されるようになっている。本第２実施形態では、加熱装置１２及び形成装置３３によって、成形手段が構成されている。
【００５５】
尚、本第２実施形態では、形成装置３３によって、容器フィルム７に対しその搬送方向に沿って間隔をあけた状態で容器対応部３Ｆが形成されるとともに、容器フィルム７における各容器対応部３Ｆ間に位置する部位に対し、スクラップ取着部７Ｇが形成される。
【００５６】
さらに、本第２実施形態において、受けローラ１５へと案内される内蓋フィルム６は、上記第１実施形態における内蓋フィルム６と比べて幅狭となっている。具体的には、本第２実施形態において、容器フィルム７の搬送方向と直交する方向に沿った内蓋フィルム６の幅αは、前記搬送方向と直交する方向に沿った被シール部対応部３Ｇの幅と同一とされている（図９参照）。これにより、容器フィルム７に対し内蓋フィルム６を重ねた状態においては、内蓋フィルム６の幅方向一端縁及び幅方向他端縁がそれぞれ被シール部対応部３Ｇの外縁へとほぼ重なるようになっている。
【００５７】
そして、本第２実施形態において、取着手段としてのシール装置３７は、容器フィルム７の搬送方向に沿って交互に並んだ容器対応部３Ｆ（被シール部対応部３Ｇ）及びスクラップ取着部７Ｇのそれぞれに対し、帯状の内蓋フィルム６を順次取着していく。尚、シール装置３７は、スクラップ取着部７Ｇに対応するスクラップ用の発熱部を備えた上型３７ａと、前記スクラップ用の発熱部との間でスクラップ取着部７Ｇ及び内蓋フィルム６を挟み込み可能な押圧面を備えた下型３７ｂとを有している。そして、前記スクラップ用の発熱部と下型３７ｂの前記押圧面とでスクラップ取着部７Ｇ及び内蓋フィルム６を挟み込みつつ加熱することにより、スクラップ取着部７Ｇに対し内蓋フィルム６が取着（熱融着）される。
【００５８】
また、図１０に示すように、内蓋フィルム６及び容器フィルム７の打抜後に残存するスクラップ部８Ｓにおいて、容器スクラップ部７Ｓは、上記第１実施形態と同様、容器フィルム７の搬送方向に沿って連なった状態となっている。これに対し、内蓋スクラップ部６Ｓは、上記第一実施形態と異なり、前記搬送方向に沿って分断された状態となっているが、分断された内蓋スクラップ部６Ｓの各片部はそれぞれスクラップ取着部７Ｇに対し取着された状態となっている。従って、上記第１実施形態と同様、スクラップ部８Ｓは、容器フィルム７の搬送方向に沿って連なった状態とされており、多数のスクラップが相互に分離した状態とならないようになっている。
【００５９】
尚、本第２実施形態において、スクラップ部８Ｓは、例えば、前記裁断装置によって所定寸法に裁断された上で、前記スクラップ用ホッパに貯留される。
【００６０】
以上、本第２実施形態によれば、基本的には、上記第１実施形態と同様の作用効果が奏されることとなる。
【００６１】
加えて、内蓋スクラップ部６Ｓは、容器スクラップ部７Ｓに設けられたスクラップ取着部７Ｇに対し取着された状態とされる。従って、内蓋スクラップ部６Ｓが相互に分離した状態で発生してしまうことをより確実に防止でき、製品に対するスクラップ部８Ｓの混入防止をより効果的に図ることができる。
【００６２】
また、帯状の内蓋フィルム６の幅が、容器対応部３Ｆのうち内蓋フィルム６が取着される部位（被シール部対応部３Ｇ）の幅と同一とされるため、内蓋スクラップ部６Ｓの排出量低減を図ることができ、生産コストの増大を効果的に抑制することができる。
【００６３】
尚、上記実施形態の記載内容に限定されず、例えば次のように実施してもよい。勿論、以下において例示しない他の応用例、変更例も当然可能である。
【００６４】
（ａ）上記実施形態におけるブリスタパック１の形状や構造は例示であって、ブリスタパック１の形状や構造については適宜変更してもよい。例えば、図１１に示すように、外蓋部４における外縁部分の一部を突出形状とすることで、外蓋部４を回動させる（収容部３の開口を開閉させる）際に利用可能な持ち手部４Ｂを形成することとしてもよい。尚、このように蓋付容器２における外縁形状を比較的複雑な形状とする場合であっても、打抜のみによって蓋付容器２の外縁形状を所望形状とすることができるため、良好な生産性を得ることができる。
【００６５】
（ｂ）上記実施形態で挙げた蓋付容器２（容器フィルム７）や内蓋フィルム６の材料や態様は例示であって、これらの材料などを適宜変更してもよい。
【００６６】
（ｃ）上記実施形態では、容器部３のみに対し物品Ｗが収容されているが、図１２に示すように、容器部１０３及び外蓋部１０４の双方に対し物品Ｗを収容してもよい。尚、この場合、容器部１０３に収容される物品Ｗと外蓋部１０４に収容される物品Ｗとを異なるものとしてもよい。また、この場合には、容器部１０３及び外蓋部１０４のそれぞれに対しその開口を塞ぐようにして内蓋フィルム６を取着することとしてもよい。
【００６７】
（ｄ）上記実施形態では、前記クローズ装置によって、打抜により得られたブリスタパック１における外蓋部４が閉状態とされるように構成されているが、クローズ装置を省略してもよい。また、人手により外蓋部４を閉状態としてもよい。
【符号の説明】
【００６８】
１…ブリスタパック、２…蓋付容器、２Ｆ…蓋付容器対応部、３…容器部、３Ｆ…容器対応部、４…外蓋部、６…内蓋フィルム、６Ｓ…内蓋スクラップ部、７…容器フィルム、７Ｇ…スクラップ取着部、７Ｓ…容器スクラップ部、８Ｓ…スクラップ部、１０…ブリスタ包装機、１２…加熱装置、１３…形成装置、１４…収容装置（収容手段）、１７…シール装置（取着手段）、１８…打抜装置（打抜手段）、Ｗ…物品。
【図１】
2018002191.tif 000003
【図２】
2018002191.tif 000004
【図３】
2018002191.tif 000005
【図４】
2018002191.tif 000006
【図５】
2018002191.tif 000007
【図６】
2018002191.tif 000008
【図７】
2018002191.tif 000009
【図８】
2018002191.tif 000010
【図９】
2018002191.tif 000011
【図１０】
2018002191.tif 000012
【図１１】
2018002191.tif 000013
【図１２】
2018002191.tif 000014
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
物品を収容するための容器部、及び、当該容器部と一体形成された外蓋部を有し、前記外蓋部によって前記容器部の開口を開閉可能に構成された蓋付容器と、
前記容器部に前記物品が収容された状態で前記容器部の開口を塞ぐようにして前記容器部に取着された内蓋フィルムと、
を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位である容器対応部に対し前記物品を収容する収容手段と、
前記収容手段の下流において、少なくとも前記容器対応部に対しその開口を塞ぐようにして前記内蓋フィルムを取着する取着手段と、
前記取着手段の下流において、前記内蓋フィルムとともに前記容器フィルムにおける前記蓋付容器対応部を打抜くことで、前記ブリスタパックを得る打抜手段とを有し、
前記容器フィルム及び前記内蓋フィルムのうち前記打抜手段による打抜後に残存するスクラップ部が、前記搬送方向に沿って連なった状態となるように構成されており、
前記成形手段は、前記容器フィルムに対しその搬送方向に沿って並んだ状態で前記容器対応部を形成するように構成されており、
前記取着手段は、前記搬送方向に並んだ前記容器対応部に対し、前記搬送方向に沿って延びる帯状の前記内蓋フィルムを順次取着するように構成されており、
前記容器フィルムのうち前記打抜手段による打抜後に残存する容器スクラップ部が、前記搬送方向に沿って連なった状態となり、かつ、
前記内蓋フィルムのうち前記打抜手段による打抜後に残存する内蓋スクラップ部が、その幅方向一端縁側のみにおいて前記搬送方向に沿って連なった状態となるように構成されていることを特徴とするブリスタ包装機。
【請求項２】
前記取着手段は、前記容器フィルムのうち前記容器スクラップ部となる部位と前記内蓋フィルムのうち前記内蓋スクラップ部となる部位とが非取着状態となるように前記容器フィルムに対し前記内蓋フィルムを取着するように構成されていることを特徴とする請求項１に記載のブリスタ包装機。
【請求項３】
物品を収容するための容器部、及び、当該容器部と一体形成された外蓋部を有し、前記外蓋部によって前記容器部の開口を開閉可能に構成された蓋付容器と、
前記容器部に前記物品が収容された状態で前記容器部の開口を塞ぐようにして前記容器部に取着された内蓋フィルムと、
を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位である容器対応部に対し前記物品を収容する収容手段と、
前記収容手段の下流において、少なくとも前記容器対応部に対しその開口を塞ぐようにして前記内蓋フィルムを取着する取着手段と、
前記取着手段の下流において、前記内蓋フィルムとともに前記容器フィルムにおける前記蓋付容器対応部を打抜くことで、前記ブリスタパックを得る打抜手段とを有し、
前記容器フィルム及び前記内蓋フィルムのうち前記打抜手段による打抜後に残存するスクラップ部が、前記搬送方向に沿って連なった状態となるように構成されており、
前記成形手段は、前記容器フィルムに対しその搬送方向に沿って間隔をあけた状態で前記容器対応部を形成するとともに、前記容器フィルムにおける前記各容器対応部間に位置する部位に対し、前記容器対応部における前記内蓋フィルムが取着される部位と同じ高さのスクラップ取着部を形成するように構成されており、
前記取着手段は、前記搬送方向に沿って交互に並んだ前記容器対応部及び前記スクラップ取着部に対し、帯状の前記内蓋フィルムを順次取着するように構成されており、
前記容器フィルムのうち前記打抜手段による打抜後に残存する容器スクラップ部は、前記搬送方向に沿って連なった状態となるとともに、
前記スクラップ取着部は、前記容器スクラップ部に存在し、かつ、
前記内蓋フィルムのうち前記打抜手段による打抜後に残存する内蓋スクラップ部は、前記スクラップ取着部に取着された状態となるように構成されていることを特徴とするブリスタ包装機。
【請求項４】
前記搬送方向と直交する方向に沿った前記帯状の前記内蓋フィルムの幅が、前記搬送方向と直交する方向に沿った前記容器対応部のうち前記内蓋フィルムが取着される部位の幅と同一とされていることを特徴とする請求項３に記載のブリスタ包装機。
【手続補正２】
【補正対象書類名】明細書
【補正対象項目名】全文
【補正方法】変更
【補正の内容】
【発明の詳細な説明】
【技術分野】
【０００１】
本発明は、所定の物品を収容する容器部及び容器部と一体形成された外蓋部を備えてなる蓋付容器と、容器部に取着された内蓋フィルムとを具備するブリスタパックを製造するためのブリスタ包装機に関する。
【背景技術】
【０００２】
各種物品（例えば、食品や医療用品等）が収容されるブリスタパックとしては、前記物品が収容される容器部と、当該容器部と一体形成され、容器部の開口を開閉可能に構成された外蓋部とを備えてなる蓋付容器が知られている。また、ブリスタパックとしては、前記容器部内に収容された物品を密封すべく、容器部の開口を塞ぐようにして内蓋フィルム（シール蓋）が取着されたものもある（例えば、特許文献１等参照）。
【０００３】
このようなブリスタパックを製造するためのブリスタ包装機としては、帯状の容器フィルムに対し成形処理を施すことで前記蓋付容器に対応する部分（蓋付容器対応部）を形成する成形手段、成形後の容器フィルムの両端縁を挟んだ状態でその容器フィルムを搬送する搬送手段、搬送される容器フィルムにおける容器部に対応する部分に対し前記物品を収容する収容手段、容器フィルムから前記蓋付容器を切り離すカット手段などを備えたものが提案されている（例えば、特許文献２等参照）。カット手段は、長手方向と直交する方向（横方向）に切れ目などが入れられた容器フィルムをその長手方向（縦方向）に沿って切断するものであり、容器フィルムを上下に挟むようにして配置された回転刃などにより構成されている。尚、内蓋フィルムは、例えば、物品の収容後、カット手段による切断前に容器フィルムへと取着することができる。
【０００４】
ところで、上記のブリスタ包装機では、カット手段によって、容器フィルムを直線状に切断することのみが可能である。そのため、安全性の面などを考慮して、ブリスタパック（蓋付容器）における角部分を、丸みを帯びた湾曲形状とする場合には、前記カット手段による切断に先立って、湾曲形状をなすように前記角部分に対応する部分を打抜く必要がある。
【先行技術文献】
【特許文献】
【０００５】
【特許文献１】特開２０１５−１８２７８１号公報
【特許文献２】特開２００８−２９７００８号公報
【発明の概要】
【発明が解決しようとする課題】
【０００６】
しかしながら、打抜加工に伴い、容器フィルムのスクラップ（尚、容器フィルムとともに内蓋フィルムを打抜く場合には、容器フィルム及び内蓋フィルムのスクラップ）が、相互に分離した状態で多数発生してしまうおそれがある。そのため、製造されたブリスタパックを備えてなる製品に対しスクラップが混入してしまうことが懸念される。また、カット手段による切断とは別に打抜を行う必要があるため、製造工程が増大してしまい、生産性の低下を招いてしまうおそれがある。
【０００７】
一方、スクラップの混入防止や生産性向上を図るべく、カット手段による切断のみでブリスタパックを得ようとした場合には、ブリスタパック（特に蓋付容器）の外縁部分が直線形状となるため、ブリスタパックの外縁形状に関する設計自由度が低くなってしまう。尚、ブリスタパックの外縁部分に対しトリミング加工を施すことで、ブリスタパックの外縁形状を所望の形状とすることも考えられるが、この場合には、結局のところ、スクラップの混入や生産性の低下といった事態を招いてしまうおそれがある。
【０００８】
本発明は、上記事情に鑑みてなされたものであり、その目的は、ブリスタパックの外縁形状に関する設計自由度を高めることができるとともに、ブリスタパックを備えてなる製品に対するスクラップの混入をより確実に防止することができるブリスタ包装機を提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．  物品を収容するための容器部、及び、当該容器部と一体形成された外蓋部を有し、前記外蓋部によって前記容器部の開口を開閉可能に構成された蓋付容器と、
前記容器部に前記物品が収容された状態で前記容器部の開口を塞ぐようにして前記容器部に取着された内蓋フィルムと、
を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位である容器対応部に対し前記物品を収容する収容手段と、
前記収容手段の下流において、少なくとも前記容器対応部に対しその開口を塞ぐようにして前記内蓋フィルムを取着する取着手段と、
前記取着手段の下流において、前記内蓋フィルムとともに前記容器フィルムにおける前記蓋付容器対応部を打抜くことで、前記ブリスタパックを得る打抜手段とを有し、
前記容器フィルム及び前記内蓋フィルムのうち前記打抜手段による打抜後に残存するスクラップ部が、前記搬送方向に沿って連なった状態となるように構成されており、
前記成形手段は、前記容器フィルムに対しその搬送方向に沿って並んだ状態で前記容器対応部を形成するように構成されており、
前記取着手段は、前記搬送方向に並んだ前記容器対応部に対し、前記搬送方向に沿って延びる帯状の前記内蓋フィルムを順次取着するように構成されており、
前記容器フィルムのうち前記打抜手段による打抜後に残存する容器スクラップ部が、前記搬送方向に沿って連なった状態となり、かつ、
前記内蓋フィルムのうち前記打抜手段による打抜後に残存する内蓋スクラップ部が、その幅方向一端縁側のみにおいて前記搬送方向に沿って連なった状態となるように構成されていることを特徴とするブリスタ包装機。
【００１１】
上記手段１によれば、ブリスタパックは、打抜によって得られることとなる。従って、ブリスタパック（特に蓋付容器）の外縁形状に関する設計自由度を高めることができる。また、ブリスタパックを得るにあたって、打抜のみによってブリスタパックの外縁形状を所望形状とすることができるため、角を丸くするための処理などを別途行う必要がなくなり、生産性を高めることができる。
【００１２】
さらに、上記手段１によれば、打抜後に残存するスクラップ部は、容器フィルムの搬送方向に沿って連なった状態となる。すなわち、上記手段１によれば、多数のスクラップが相互に分離した状態で発生してしまうことを防止できる。これにより、ブリスタパックを備えてなる製品に対しスクラップ部が混入してしまうことをより確実に防止できる。
【００１３】
また、上記手段１によれば、打抜後に残存する内蓋フィルムのスクラップ（内蓋スクラップ部）は、その幅方向一端縁側のみにおいて前記搬送方向に沿って連なった状態となるため、内蓋スクラップ部が多量に排出されてしまうことを防止できる。その結果、生産コストの増大抑制を効果的に図ることができる。
【００１４】
手段２．前記取着手段は、前記容器フィルムのうち前記容器スクラップ部となる部位と前記内蓋フィルムのうち前記内蓋スクラップ部となる部位とが非取着状態となるように前記容器フィルムに対し前記内蓋フィルムを取着するように構成されていることを特徴とする手段１に記載のブリスタ包装機。
【００１５】
上記手段２によれば、内蓋スクラップ部は、前記搬送方向に沿って連なるとともに、打抜後に残存する容器フィルムのスクラップ（容器スクラップ部）と非取着の状態とされる。これにより、内蓋スクラップ部のみを素早く巻き取って回収することができるため、より高速での生産が可能となり、生産性を一層高めることができる。
【００１６】
さらに、容器スクラップ部と内蓋スクラップ部とを別々に回収することが容易となり、回収後の各種処理に係る利便性を高めることができる。
【００１７】
手段３．物品を収容するための容器部、及び、当該容器部と一体形成された外蓋部を有し、前記外蓋部によって前記容器部の開口を開閉可能に構成された蓋付容器と、
前記容器部に前記物品が収容された状態で前記容器部の開口を塞ぐようにして前記容器部に取着された内蓋フィルムと、
を備えてなるブリスタパックを製造するためのブリスタ包装機であって、
搬送される帯状の容器フィルムに対し成形処理を行い、前記蓋付容器に対応する蓋付容器対応部を形成する成形手段と、
前記成形手段の下流において、前記蓋付容器対応部における前記容器部に対応する部位である容器対応部に対し前記物品を収容する収容手段と、
前記収容手段の下流において、少なくとも前記容器対応部に対しその開口を塞ぐようにして前記内蓋フィルムを取着する取着手段と、
前記取着手段の下流において、前記内蓋フィルムとともに前記容器フィルムにおける前記蓋付容器対応部を打抜くことで、前記ブリスタパックを得る打抜手段とを有し、
前記容器フィルム及び前記内蓋フィルムのうち前記打抜手段による打抜後に残存するスクラップ部が、前記搬送方向に沿って連なった状態となるように構成されており、
前記成形手段は、前記容器フィルムに対しその搬送方向に沿って間隔をあけた状態で前記容器対応部を形成するとともに、前記容器フィルムにおける前記各容器対応部間に位置する部位に対し、前記容器対応部における前記内蓋フィルムが取着される部位と同じ高さのスクラップ取着部を形成するように構成されており、
前記取着手段は、前記搬送方向に沿って交互に並んだ前記容器対応部及び前記スクラップ取着部に対し、帯状の前記内蓋フィルムを順次取着するように構成されており、
前記容器フィルムのうち前記打抜手段による打抜後に残存する容器スクラップ部は、前記搬送方向に沿って連なった状態となるとともに、
前記スクラップ取着部は、前記容器スクラップ部に存在し、かつ、
前記内蓋フィルムのうち前記打抜手段による打抜後に残存する内蓋スクラップ部は、前記スクラップ取着部に取着された状態となるように構成されていることを特徴とするブリスタ包装機。
【００１８】
上記手段３によれば、内蓋スクラップ部は、前記搬送方向に沿って連なった状態の容器スクラップ部に設けられたスクラップ取着部に対し取着された状態となる。従って、内蓋スクラップ部が相互に分離した状態で発生してしまうことをより確実に防止でき、製品に対するスクラップ部の混入防止をより効果的に図ることができる。
【００１９】
手段４．前記搬送方向と直交する方向に沿った前記帯状の前記内蓋フィルムの幅が、前記搬送方向と直交する方向に沿った前記容器対応部のうち前記内蓋フィルムが取着される部位の幅と同一とされていることを特徴とする手段３に記載のブリスタ包装機。
【００２０】
尚、「同一」とあるのは、厳密な同一のみならず、若干（例えば、数ｍｍ程度）の差が存在する場合も含む。
【００２１】
上記手段４によれば、内蓋スクラップ部の排出量低減を図ることができ、生産コストの増大を効果的に抑制することができる。
【図面の簡単な説明】
【００２２】
【図１】ブリスタパックの斜視図である。
【図２】ブリスタパックの断面図である。
【図３】第１実施形態におけるブリスタ包装機の概略構成を示す模式図である。
【図４】第１実施形態における蓋付容器対応部が形成された容器フィルムを示す斜視図である。
【図５】第１実施形態において、容器フィルムに対し内蓋フィルムを重ねた状態を示す平面図である。
【図６】第１実施形態において、打抜後に残存するスクラップ部を示す平面図である。
【図７】第２実施形態におけるブリスタ包装機の概略構成を示す模式図である。
【図８】第２実施形態における蓋付容器対応部及びスクラップ取着部が形成された容器フィルムを示す斜視図である。
【図９】第２実施形態において、容器フィルムに対し内蓋フィルムを重ねた状態を示す平面図である。
【図１０】第２実施形態において、打抜後に残存するスクラップ部を示す平面図である。
【図１１】別の実施形態におけるブリスタパックの斜視図である。
【図１２】別の実施形態におけるブリスタパックの斜視図である。
【発明を実施するための形態】
【００２３】
以下、実施形態について図面を参照しつつ説明する。
〔第１実施形態〕
図１及び図２に示すように、ブリスタパック１は、蓋付容器２と、内蓋フィルム６とを備えている。尚、便宜上、各図中における蓋付容器２及び内蓋フィルム６は、実際よりも厚肉に示されている。
【００２４】
蓋付容器２は、例えばＰＰ（ポリプロピレン）やＰＶＣ（ポリ塩化ビニル）、ＰＥ（ポリエチレン）等の熱可塑性樹脂材料によって構成されている。また、蓋付容器２は、所定の物品Ｗ（例えば、食品や医療用品など）を収容するための収容空間３Ａを有してなる収容部３と、当該収容部３と一体形成された外蓋部４と、両者３，４を連結する断面湾曲形状のヒンジ部５とを備えている。外蓋部４は、ヒンジ部５を回動軸として収容部３に対し相対回動可能となっており、収容部３の開口は、外蓋部４によって開閉可能となっている。
【００２５】
また、収容部３は、収容空間３Ａの開口端から外側に延出形成された環状の被シール部３Ｂと、当該被シール部３Ｂの最外周から垂下する内嵌部３Ｃとを備えている。一方、外蓋部４は、前記内嵌部３Ｃに対応する形状をなす環状の外嵌部４Ａを備えている。そして、外蓋部４により収容部３の開口を閉鎖する際には、内嵌部３Ｃの外周に対し外嵌部４Ａを嵌め込むことによって、閉鎖状態をより確実に維持可能となっている。
【００２６】
内蓋フィルム６は、蓋付容器２と相溶性のある熱可塑性樹脂により形成されており、本実施形態では、透明又は半透明を呈するように構成されている。内蓋フィルム６は、容器部３の開口を塞ぐようにして前記被シール部３Ｂに対し取着されている。
【００２７】
次に、上記ブリスタパック１を製造するためのブリスタ包装機１０の構成について説明する。
【００２８】
図３に示すように、ブリスタ包装機１０では、ロール状の原反から引き出された帯状の容器フィルム７が所定のコンベア１１（例えば、チェーンクリップコンベア等）により下流側へ向け間欠搬送されていく。容器フィルム７は、蓋付容器２の材料である。
【００２９】
容器フィルム７原反の下流側には、まず加熱装置１２及び形成装置１３が設けられている。加熱装置１２及び形成装置１３によって成形手段が構成される。
【００３０】
加熱装置１２は、容器フィルム７を挟んで上下に配置される上型１２ａ及び下型１２ｂを備え、容器フィルム７における蓋付容器２の形成範囲を部分的に加熱可能に構成されている。
【００３１】
形成装置１３は、蓋付容器２の形状とおよそ相似的で小さいプラグを有してなる上型１３ａと、蓋付容器２の形状に対応した凹凸部を有してなる下型１３ｂとを備えている。そして、容器フィルム７が加熱装置１２により加熱され比較的柔軟になった状態において、上型１３ａ及び下型１３ｂにより、容器フィルム７の所定位置に蓋付容器２に対応する蓋付容器対応部２Ｆが成形される（図４参照）。蓋付容器対応部２Ｆは、容器部３に対応する容器対応部３Ｆと、外蓋部４に対応する外蓋対応部４Ｆと、ヒンジ部５に対応するヒンジ対応部５Ｆとを備えている。
【００３２】
尚、蓋付容器対応部２Ｆの成形は、容器フィルム７の搬送動作間のインターバルの際に行われる。また、本実施形態では、形成装置１３によって、容器フィルム７に対しその搬送方向に沿って並んだ状態で容器対応部３Ｆが形成される。
【００３３】
さらに、形成装置１３の下流側には、収容手段としての収容装置１４が設けられており、当該収容装置１４によって、容器対応部３Ｆにおける前記収容空間３Ａに対応する空間へと物品Ｗが収容される。
【００３４】
また、帯状に形成された内蓋フィルム６の原反は、前記容器フィルム７とは別にロール状に巻回されて配置されている。当該原反から引き出された内蓋フィルム６は、収容装置１４の下流側に設けられた受けローラ１５へと案内されている。内蓋フィルム６は、受けローラ１５まで案内されることで、図５に示すように、容器フィルム７の搬送方向に沿って延びた状態で、容器対応部３Ｆの開口を塞ぐようにして容器フィルム７へと重ねられることとなる。
【００３５】
尚、本実施形態において、容器フィルム７の搬送方向と直交する方向に沿った内蓋フィルム６の幅は、前記搬送方向と直交する方向に沿った容器対応部３Ｆにおける被シール部３Ｂに対応する部位である被シール部対応部３Ｇ（図５中、斜線を付した部位）の幅よりも大きなものとされている。そして、容器フィルム７に対し内蓋フィルム６を重ねた状態においては、内蓋フィルム６の幅方向一端縁が前記被シール部対応部３Ｇよりも容器フィルム７の幅方向一端縁側にはみ出し、一方、内蓋フィルム６の幅方向他端縁が被シール部対応部３Ｇの外縁に対しほぼ重なるようになっている。
【００３６】
図３に戻り、受けローラ１５の下流には、取着手段としてのシール装置１７が設けられている。シール装置１７は、上型１７ａ及び下型１７ｂを備えている。
【００３７】
上型１７ａは、両フィルム６，７の搬送経路の上方に配置されており、図示しない駆動手段によって上下に移動可能となっている。また、上型１７ａは、前記被シール部３Ｂに対応する形状をなすとともに、図示しないヒータ等により発熱可能な発熱部１７ｃを備えている。
【００３８】
下型１７ｂは、蓋付容器対応部２Ｆにおける下向きに突出する部位が収容される凹部１７ｄを備えており、図示しない駆動手段によって上下に移動可能となっている。また、下型１７ｂのうち前記凹部１７ｄの開口から外周に延びる平坦面が、前記上型１７ａの発熱部１７ｃとの間で、容器フィルム７及び内蓋フィルム６を挟み込む押圧面となっている。
【００３９】
シール装置１７においては、上型ａ及び下型１７ｂが容器フィルム７及び内蓋フィルム６に接近することで、発熱部１７ｃと下型１７ｂの前記平坦面との間で、容器対応部３Ｆにおける被シール部対応部３Ｇ及び内蓋フィルム６を挟み込む。その結果、被シール部対応部３Ｇに対し、容器対応部３Ｆの開口を塞ぐようにして内蓋フィルム６が取着（熱融着）される。
【００４０】
尚、本実施形態において、シール装置１７は、容器対応部３Ｆにおける被シール部対応部３Ｇのみに対し内蓋フィルム６を取着するように構成されている。すなわち、シール装置１７は、容器フィルム７のうち後述する容器スクラップ部７Ｓとなる部位と内蓋フィルム６のうち後述する内蓋スクラップ部６Ｓとなる部位とが非取着状態となるように容器フィルム７に対し内蓋フィルム６を取着するように構成されている。また、内蓋フィルム６の取着は、容器フィルム７の搬送動作間のインターバルに行われ、シール装置１７によって、容器対応部３Ｆに対し内蓋フィルム６が順次取着されるようになっている。
【００４１】
シール装置１７の下流側には、打抜手段としての打抜装置１８が設けられている。打抜装置１８は、蓋付容器２の外縁形状に対応する形状の図示しない打抜パンチを備えており、当該打抜パンチによって、内蓋フィルム６とともに、容器フィルム７における蓋付容器対応部２Ｆを打抜くことで、ブリスタパック１が得られる。本実施形態では、蓋付容器２の外縁部分における角部が丸みを帯びた形状となるように前記打抜パンチの形状が設定されている。
【００４２】
また、打抜装置１８の下方には、コンベア２０が設けられている。打抜かれたブリスタパック１は、コンベア２０によって下流側へと移送される。移送途中又は移送後において、所定のクローズ装置（図示せず）によって、外蓋部４が閉状態とされる。
【００４３】
尚、内蓋フィルム６及び容器フィルム７の打抜後には、図６に示すように、スクラップ部８Ｓが残存することとなる。スクラップ部８Ｓは、容器フィルム７のうち打抜後に残存する容器スクラップ部７Ｓと、内蓋フィルム６のうち打抜後に残存する内蓋スクラップ部６Ｓとからなり、容器スクラップ部７Ｓ及び内蓋スクラップ部６Ｓは、それぞれ容器フィルム７の搬送方向に沿って連なった状態となっている。すなわち、スクラップ部８Ｓは、容器フィルム７の搬送方向に沿って連なった状態となっており、多数のスクラップが相互に分離した状態とならないようになっている。但し、本実施形態において、内蓋スクラップ部６Ｓは、その幅方向一端縁側のみにおいて前記搬送方向に沿って連なった状態となっている。
【００４４】
さらに、上記の通り、シール装置１７によって、被シール部対応部３Ｇのみに対し内蓋フィルム６が取着されるため、容器スクラップ部７Ｓと内蓋スクラップ部６Ｓとは非取着の状態（分離された状態）となっている。
【００４５】
加えて、内蓋スクラップ部６Ｓは、打抜装置１８よりも下流に設けられた回収装置２１によって、巻き取られつつ回収される。
【００４６】
一方で、容器スクラップ部７Ｓは、打抜装置１８の下流に設けられた図示しない裁断装置に搬送されるとともに、当該裁断装置によって所定寸法に裁断され、図示しない所定のスクラップ用ホッパに貯留される。
【００４７】
以上詳述したように、本実施形態によれば、ブリスタパック１を打抜によって得ることができるため、ブリスタパック１（蓋付容器２）の外縁形状に関する設計自由度を高めることができる。また、ブリスタパック１を得るにあたって、打抜のみによってブリスタパック１の外縁形状を所望形状とすることができるため、角を丸くするための処理などを別途行う必要がなくなり、生産性を高めることができる。
【００４８】
さらに、打抜後に残存するスクラップ部８Ｓは、容器フィルム７の搬送方向に沿って連なった状態となるため、多数のスクラップが相互に分離した状態で発生してしまうことを防止できる。その結果、ブリスタパック１を備えてなる製品に対しスクラップ部８Ｓが混入してしまうことをより確実に防止できる。
【００４９】
また、内蓋スクラップ部６Ｓは、その幅方向一端縁側のみにおいて前記搬送方向に沿って連なった状態となるため、内蓋スクラップ部６Ｓが多量に排出されてしまうことを防止できる。その結果、生産コストの増大抑制を効果的に図ることができる。
【００５０】
加えて、内蓋スクラップ部６Ｓは、容器スクラップ部７Ｓと非取着の状態（分離した状態）とされるため、内蓋スクラップ部６Ｓを素早く巻き取って回収することができる。その結果、より高速での生産が可能となり、生産性を一層高めることができる。
【００５１】
さらに、容器スクラップ部７Ｓと内蓋スクラップ部６Ｓとを別々に回収することができ、回収後の各種処理（例えば、廃棄前の分別処理など）に係る利便性を高めることができる。
〔第２実施形態〕
次いで、第２実施形態について上記第１実施形態との相違点を中心に説明する。
【００５２】
上記第１実施形態では、ブリスタ包装機１０により、容器フィルム７に対し蓋付容器対応部２Ｆが形成されるように構成されている。これに対し、本第２実施形態では、図７及び図８に示すように、ブリスタ包装機３０により、容器フィルム７に対し、蓋付容器対応部２Ｆとともに、スクラップ取着部７Ｇが形成されるように構成されている。スクラップ取着部７Ｇは、四角錐台状をなしており、自身の上端面と被シール部対応部３Ｇとが同一高さとなるように構成されている。そして、容器対応部３Ｆとスクラップ取着部７Ｇとは、容器フィルム７の搬送方向に沿って交互に並んだ状態で設けられている。
【００５３】
このようなスクラップ取着部７Ｇを形成すべく、本第２実施形態における形成装置３３は、スクラップ取着部７Ｇの形状に対応した凹部を有してなる上型３３ａと、スクラップ取着部７Ｇの形状に対応する凸部を有してなる下型３３ｂとを備えている。そして、容器フィルム７のうち蓋付容器２及びスクラップ取着部７Ｇの形成範囲が加熱装置１２により加熱されて比較的柔軟になった状態において、上型３３ａ及び下型３３ｂによって容器フィルム７が成形されることで、容器フィルム７に対し蓋付容器対応部２Ｆとスクラップ取着部７Ｇとが形成されるようになっている。本第２実施形態では、加熱装置１２及び形成装置３３によって、成形手段が構成されている。
【００５４】
尚、本第２実施形態では、形成装置３３によって、容器フィルム７に対しその搬送方向に沿って間隔をあけた状態で容器対応部３Ｆが形成されるとともに、容器フィルム７における各容器対応部３Ｆ間に位置する部位に対し、スクラップ取着部７Ｇが形成される。
【００５５】
さらに、本第２実施形態において、受けローラ１５へと案内される内蓋フィルム６は、上記第１実施形態における内蓋フィルム６と比べて幅狭となっている。具体的には、本第２実施形態において、容器フィルム７の搬送方向と直交する方向に沿った内蓋フィルム６の幅αは、前記搬送方向と直交する方向に沿った被シール部対応部３Ｇの幅と同一とされている（図９参照）。これにより、容器フィルム７に対し内蓋フィルム６を重ねた状態においては、内蓋フィルム６の幅方向一端縁及び幅方向他端縁がそれぞれ被シール部対応部３Ｇの外縁へとほぼ重なるようになっている。
【００５６】
そして、本第２実施形態において、取着手段としてのシール装置３７は、容器フィルム７の搬送方向に沿って交互に並んだ容器対応部３Ｆ（被シール部対応部３Ｇ）及びスクラップ取着部７Ｇのそれぞれに対し、帯状の内蓋フィルム６を順次取着していく。尚、シール装置３７は、スクラップ取着部７Ｇに対応するスクラップ用の発熱部を備えた上型３７ａと、前記スクラップ用の発熱部との間でスクラップ取着部７Ｇ及び内蓋フィルム６を挟み込み可能な押圧面を備えた下型３７ｂとを有している。そして、前記スクラップ用の発熱部と下型３７ｂの前記押圧面とでスクラップ取着部７Ｇ及び内蓋フィルム６を挟み込みつつ加熱することにより、スクラップ取着部７Ｇに対し内蓋フィルム６が取着（熱融着）される。
【００５７】
また、図１０に示すように、内蓋フィルム６及び容器フィルム７の打抜後に残存するスクラップ部８Ｓにおいて、容器スクラップ部７Ｓは、上記第１実施形態と同様、容器フィルム７の搬送方向に沿って連なった状態となっている。これに対し、内蓋スクラップ部６Ｓは、上記第一実施形態と異なり、前記搬送方向に沿って分断された状態となっているが、分断された内蓋スクラップ部６Ｓの各片部はそれぞれスクラップ取着部７Ｇに対し取着された状態となっている。従って、上記第１実施形態と同様、スクラップ部８Ｓは、容器フィルム７の搬送方向に沿って連なった状態とされており、多数のスクラップが相互に分離した状態とならないようになっている。
【００５８】
尚、本第２実施形態において、スクラップ部８Ｓは、例えば、前記裁断装置によって所定寸法に裁断された上で、前記スクラップ用ホッパに貯留される。
【００５９】
以上、本第２実施形態によれば、基本的には、上記第１実施形態と同様の作用効果が奏されることとなる。
【００６０】
加えて、内蓋スクラップ部６Ｓは、容器スクラップ部７Ｓに設けられたスクラップ取着部７Ｇに対し取着された状態とされる。従って、内蓋スクラップ部６Ｓが相互に分離した状態で発生してしまうことをより確実に防止でき、製品に対するスクラップ部８Ｓの混入防止をより効果的に図ることができる。
【００６１】
また、帯状の内蓋フィルム６の幅が、容器対応部３Ｆのうち内蓋フィルム６が取着される部位（被シール部対応部３Ｇ）の幅と同一とされるため、内蓋スクラップ部６Ｓの排出量低減を図ることができ、生産コストの増大を効果的に抑制することができる。
【００６２】
尚、上記実施形態の記載内容に限定されず、例えば次のように実施してもよい。勿論、以下において例示しない他の応用例、変更例も当然可能である。
【００６３】
（ａ）上記実施形態におけるブリスタパック１の形状や構造は例示であって、ブリスタパック１の形状や構造については適宜変更してもよい。例えば、図１１に示すように、外蓋部４における外縁部分の一部を突出形状とすることで、外蓋部４を回動させる（収容部３の開口を開閉させる）際に利用可能な持ち手部４Ｂを形成することとしてもよい。尚、このように蓋付容器２における外縁形状を比較的複雑な形状とする場合であっても、打抜のみによって蓋付容器２の外縁形状を所望形状とすることができるため、良好な生産性を得ることができる。
【００６４】
（ｂ）上記実施形態で挙げた蓋付容器２（容器フィルム７）や内蓋フィルム６の材料や態様は例示であって、これらの材料などを適宜変更してもよい。
【００６５】
（ｃ）上記実施形態では、容器部３のみに対し物品Ｗが収容されているが、図１２に示すように、容器部１０３及び外蓋部１０４の双方に対し物品Ｗを収容してもよい。尚、この場合、容器部１０３に収容される物品Ｗと外蓋部１０４に収容される物品Ｗとを異なるものとしてもよい。また、この場合には、容器部１０３及び外蓋部１０４のそれぞれに対しその開口を塞ぐようにして内蓋フィルム６を取着することとしてもよい。
【００６６】
（ｄ）上記実施形態では、前記クローズ装置によって、打抜により得られたブリスタパック１における外蓋部４が閉状態とされるように構成されているが、クローズ装置を省略してもよい。また、人手により外蓋部４を閉状態としてもよい。
【符号の説明】
【００６７】
１…ブリスタパック、２…蓋付容器、２Ｆ…蓋付容器対応部、３…容器部、３Ｆ…容器対応部、４…外蓋部、６…内蓋フィルム、６Ｓ…内蓋スクラップ部、７…容器フィルム、７Ｇ…スクラップ取着部、７Ｓ…容器スクラップ部、８Ｓ…スクラップ部、１０…ブリスタ包装機、１２…加熱装置、１３…形成装置、１４…収容装置（収容手段）、１７…シール装置（取着手段）、１８…打抜装置（打抜手段）、Ｗ…物品。